(57)【要約】【課題】電線の接続を容易かつ確実に行うことができる施工性に優れた分電盤を提供する。【解決手段】電線Ｃを引き込むことが可能な開口部１０ｄを有する本体ケース１０と；引き込まれた電線を接続する電線接続部１１を有し本体ケースに設置される回路遮断器１２と；電線接続部に対向して設けられ、前記電線を保持する電線ガイド１３と；を具備する分電盤１を構成する。【選択図】        図２
2009033914.tif 000002
【特許請求の範囲】
【請求項１】
電線を引き込むことが可能な開口部を有する本体ケースと；
引き込まれた電線を接続する電線接続部を有し本体ケースに設置される回路遮断器と；
電線接続部に対向して設けられ、前記電線を保持する電線ガイドと；
を具備することを特徴とする分電盤。
【請求項２】
電線を引き込むことが可能な開口部を有する本体ケースと；
引き込まれた電線を挿入して接続する挿入口からなる電線接続部を有し、本体ケースに設置される回路遮断器と；
電線接続部の挿入口の略垂直方向に対向して本体ケースに設けられ、前記電線を保持する電線ガイドと；
を具備することを特徴とする分電盤。
【発明の詳細な説明】
【技術分野】
【０００１】
本発明は、住宅や店舗等で使用される分電盤に関する。
【背景技術】
【０００２】
従来、この種の分電盤は、下記の特許文献１に示されるように、壁面に取り付けられるベースに主幹ブレーカや上下に設置された複数の分岐ブレーカなどを有する分電盤ユニットが配設され、この分電盤ユニットを覆ってカバーが取り付けられて構成される。施工に際しては、分電盤の背面から負荷側の複数本の電線を、ベースを介して本体ケース内に引き込み、それぞれの回路遮断器に該当する電線を接続している。
【０００３】
その施工順序は、例えば、回路遮断器を取り付けた分電盤ユニットを一旦取り外し、複数本の負荷側の電線を開口部から本体ケース内に引き込み、本体ケースを壁面に設置する。本体ケースを壁面に設置した状態で、上下の回路遮断器に対応する各電線を上下に振り分ける。次に再度分電盤ユニットを本体ケースに取り付け、振り分けられた電線を該当する回路遮断器の電線接続部に接続する。
【０００４】
この際、引き込まれた複数本の電線が湾曲されて上下に振り分けられ、本体ケース内に浮遊している状態になっており、再度分電盤ユニットを取り付ける場合に邪魔になり施工がし難くなる。また、複数の電線は上下に振り分けられているが、それぞれが順序無く上下に浮遊しているので、どの電線をどの回路遮断器に接続するのかを選択して行う必要がある。このため高所で、また暗い場所での作業の場合には誤配線の要因となる。
【０００５】
また、最近の電線接続部は、電線挿入口を有し電線の先端を挿入口に挿入して接続する所謂スクリューレス（ＳＬ）の端子構造を有している。このような端子構造の場合には、本体ケース内に引き込まれた電線は先端部分を湾曲させて電線接続部の挿入口に対して略垂直方向から接続する必要がある。しかしながら、湾曲の角度によっては電線が挿入口から抜ける方向に荷重が加わり、電線の挿入不足となる可能性もある。
【０００６】
これら問題を改善するために、電線をガイドするための専用ダクトを設けた分電盤が、例えば、下記の特許文献２に示されている。
【特許文献１】特開２００６−３０４５９８公報
【特許文献２】実開平５−５５７０７号公報
【発明の開示】
【発明が解決しようとする課題】
【０００７】
特許文献２に示される分電盤は、本体ケースと回路遮断器である分岐スイッチの取付板との間に専用ダクトが嵌め込まれ、その内側には各分岐スイッチに対応する仕切り板がそれぞれ垂下され、電線がその仕切り板で囲まれたスペースを通って各分岐スイッチにそれぞれ結線されている。このため電線をガイドするための別個の、しかも大きな部品が必要となり構造が複雑になると共に、コスト的にも不利となる。また、配線後に電線を固定するための固定部材を設けているが、バンドや紐で構成されているため狭いスペースでバンドを固定したり、紐を縛るための作業が必要となり施工性が悪くなる。
【０００８】
このため、この種分電盤においては、構造が簡単でコスト的に有利な構成で、電線の接続を容易かつ確実に行うことができる施工性の優れた分電盤を如何に実現するかが重要な課題となっている。
【０００９】
本発明は、上述した課題を解決するために、電線の接続を容易かつ確実に行うことができる施工性に優れた分電盤を提供しようとするものである。
【課題を解決するための手段】
【００１０】
上記目的を達成するために、請求項１に記載の分電盤の発明は、電線を引き込むことが可能な開口部を有する本体ケースと；引き込まれた電線を接続する電線接続部を有し本体ケースに設置される回路遮断器と；電線接続部に対向して設けられ、前記電線を保持する電線ガイドと；を具備することを特徴とする。
【００１１】
本発明によれば、回路遮断器の電線接続部に対向して設けられ、電線を保持する電線ガイドにより、電線の接続を容易かつ確実に行うことができる。
【００１２】
本発明は、住宅や店舗等に使用される分電盤に適用されることが好ましいが、大型の業務用の配電盤等に適応されても、さらにはマルチメディア配線の接続機器類を一つのボックス内に収納した情報盤等に適用されてもよい。
【００１３】
電線を引き込むことが可能な開口部を有する本体ケースは、回路遮断器等を設置し壁面等に分電盤を設置するためのベース部材を有して構成されるが、ベース部材は本体ケースと一体に構成されても、または別体に構成されていてもよい。電線を引き込む手段は、本体ケースの背面または側面、さらには上下面に形成した開口部から引き込む手段が許容されるが、開口部はノックアウトにより形成されるものであってもよい。
【００１４】
回路遮断器は、主幹ブレーカ、分岐ブレーカ、さらには漏電ブレーカ等で構成されることが許容され、接続される電線は負荷側の電線でも電源側の電線であってもよい。回路遮断器は、本体ケースに設置されるが、直接本体ケースに設置されても、取付板等に回路遮断器をまとめて設置した分電盤ユニットなどを介して設置されるものであってもよい。
【００１５】
電線接続部は、挿入口を有し電線の先端を挿入口に挿入して接続する所謂ＳＬ端子構造を有するものが好適であるが、ネジ止め式の接続部であってもよい。
【００１６】
電線ガイドは、電線を保持することができれば、どのような構成でもよく、例えば、合成樹脂で一部を開放した略Ｕ字形に形成することにより、両側の腕部がそれぞれ弾性を有するように構成し、電線を両腕部で挟み込んでガイドすると共に、仮止めや固定もすることもできるように構成することが好ましいが、その形状は、Ｕ字形状に限定されず、例えば、Ｖ字や馬蹄形状などでも、さらには、横方向を開放したＣ字形状であってもよい。また材質は柔軟性を有し電気絶縁性を有する合成樹脂で構成されていることが好ましいが、ステンレス等の金属部材に合成樹脂を被覆したもの、さらには金属部材のみで構成したものであってもよい。
【００１７】
また、電線ガイドは電線接続部に対向して本体ケースに設けられており、本体ケースに引き込まれた電線は、この電線ガイドに保持されると共に、この保持された部位よりも先端側が湾曲されて電線接続部に対して略垂直な方向から挿入される。
【００１８】
なお、電線ガイドは、電線接続部に対向して本体ケースとは別体に設けられることが好ましいが、一体に形成されたものでもよい。また、別体に形成されたものを着脱が可能になるように設けてもよい。さらには、回路遮断器個々に設けられるものであってもよい。また、電線接続部に個々に対向して、1個ずつを対向させて設けても、複数個を連結し一体化してモジュール状に構成し、必要な個数を切り離す等の手段で適宜、個数を選択して設けられるようにしてもよい。
【００１９】
請求項２に記載の分電盤分電盤の発明は、電線を引き込むことが可能な開口部を有する本体ケースと；引き込まれた電線を挿入して接続する挿入口からなる電線接続部を有し、本体ケースに設置される回路遮断器と；電線接続部の挿入口の略垂直方向に対向して本体ケースに設けられ、前記電線を保持する電線ガイドと；を具備することを特徴とする。
【００２０】
本発明において、挿入口の略垂直方向に対向して本体ケースに設けられた電線ガイドは、挿入口に対して略垂直方向に設けられていればよく、施工上許される範囲内で多少にずれていてもよい。
【発明の効果】
【００２１】
請求項１の発明によれば、回路遮断器の電線接続部に対向して設けられ、電線を保持する電線ガイドにより、電線の接続を容易かつ確実に行うことができ、施工性に優れた分電盤を提供することができる。
【００２２】
請求項２の発明によれば、回路遮断器の電線接続部の挿入口の略垂直方向に対向して本体ケースに設けられ、電線を保持する電線ガイドにより、電線の接続を容易かつ確実に行うことができ、一層施工性に優れた分電盤を提供することができる。
【発明を実施するための最良の形態】
【００２３】
以下、本発明の分電盤の一実施形態につき説明する。
【実施例１】
【００２４】
本実施例は、住宅用の分電盤を構成した実施形態であり、その構成を図１〜図３に従い説明する。
【００２５】
本発明の分電盤１は、本体ケース１０、電線接続部１１を有する回路遮断器１２、電線ガイド１３で構成する。
【００２６】
図１に示すように、本体ケース１０は、例えば、難燃性の合成樹脂で横長の箱体をなす形状に形成され、背面に一体にベース部材１０ａが形成され、前面に開閉可能または着脱可能にカバー部材１０ｂが設けられる。ベース部材１０ａは、住宅の壁面に取り付けられる取付板部１０ｃを有し、この取付板部に負荷側の各電線Ｃを引き込むための開口部１０ｄを複数個、本実施例では、上下に２個ずつ計４個形成する。またベース部材の取付板部１０ｃには、後述する回路遮断器１２を設置するための強固な金属からなる取付板１０ｅがネジ等の固定手段で取り付けられる。図中１０ｆは壁面に対しネジなどで取り付けるための取付孔で、ベース部材の四隅に形成されている。１０ｇは後述する電線ガイド１３を支持するための支持孔で、本体ケース１０の上下の周壁部分であって各回路遮断器１２の真下および真上の位置に貫通して形成される。
【００２７】
回路遮断器１２は、１台の主幹ブレーカ１２ａと、複数台、本実施例では１０台の分岐ブレーカ１２ｂからなる。主幹ブレーカ１２ａは取付板１０ｅの一端部、図中左方に取り付けられ、分岐ブレーカ１２ｂは、５個ずつが上下に位置するように配置され取付板１０ｅに固定される。これにより回路遮断器１２と取付板１０ｅが一体となった分電盤ユニット１４が構成される。この分電盤ユニット１４は、ネジ等の固定手段でベース部材１１ａの取付板部１０ｂに着脱ができるようにして取り付けられる。分電盤ユニットを取り付けた状態で、電線引き込み用の開口部１０ｄが上下に位置し開口した状態となる（図１）。
【００２８】
また、各分岐ブレーカ１２ｂの一端面には負荷側の電線Ｃを接続するための接続部１１が設けられ、他端面には電源側の電線接続部（図示せず）が設けられる。図中１２ｃは、主幹ブレーカ１２ａと各分岐ブレーカ１２ｂに設けられた操作用の摘みである。
【００２９】
図２に示すように、負荷側の電線接続部１１は、負荷側の電線Ｃを接続するための２個の挿入口１１ａを設け、電線の被覆を剥がした先端を挿入口に挿入して接続する所謂ＳＬ端子として構成する。挿入口の上部には、電線Ｃの先端を係止してロックするための操作レバー１１ｂが、それぞれの挿入口に対応して設けられ、操作レバー引き起こした状態で、電線の先端を挿入口の奥まで差し込み、差し込んだ状態で操作レバーを倒してロックするように構成される。図２は、ロックした状態を示す。
【００３０】
上記に構成された分岐ブレーカ１２ｂは、５個ずつが上下に位置するように取付板１０ｅに設置され、その状態で上部に取り付けられた分岐ブレーカの電線接続部１１が上面に位置し、下部に取り付けられた分岐ブレーカ１２ｂの電線接続部１１が下面に位置して設置される。図中１１ｃは、電線を奥まで差し込まれたことを緑色で表示する表示レバーである。なお、電源側の電線接続部は、プラグイン端子で構成され電源側のバーが差し込まれて接続される。
【００３１】
電線ガイド１３は、合成樹脂性の一体物からなり、一部を開放した略Ｕ字形に形成し、電線Ｃのガイドとなる両側のＵ字の腕部１３ａ、１３ａがそれぞれ弾性を有するように構成し、Ｕ字の腕部が形成する略楕円形状をなす部分で電線Ｃの支持部１３ｂを形成し、Ｕ字の底部に一体に係止爪１３ｃを有する取付部１３ｄを形成する。支持部１３ｂが略楕円形をなす大きさは、負荷側の電線ＣとしてのＦケーブルが緩く嵌合できる寸法、形状に形成する。
【００３２】
上記に構成された電線ガイド１３は、各分岐ブレーカ１２ｂにおける電線接続部１１の挿入口１１ａの略垂直方向に対向した位置、すなわち、下部に設置された分岐ブレーカ１２ｂの挿入口１１ａの真下、上部に設置された分岐ブレーカ１２ｂの挿入口１１ａの真上に位置して本体ケース１０の上下の周壁部分に形成された支持孔１０ｇに係止爪１３ｃを嵌め込んで取り付けられる。電線ガイド１３はそれぞれの分岐ブレーカ１２ｂに対応して取り付けられ、本実施例では上下４個ずつ、計８個の電線ガイドが用いられる。なお係止爪１３ｃには割り溝１３ｅが形成されており、係止爪を両側から挟んで支持孔１０ｇとの係合を解除することにより容易に取り外すことができる。
【００３３】
次に、上記に構成された分電盤の施工手順につき説明する。まず、回路遮断器１２を取り付けた分電盤ユニット１４を本体ケース１０のベース部材１０ａから一旦取り外す。次に、負荷側の複数本の電線Ｃを開口部１０ｄから本体ケース１０内に引き込み、本体ケースを住宅の壁面に設置する。本体ケースを壁面に設置した状態で、上下の分岐ブレーカ１２ｂに対応する該当の電線Ｃを上下に振り分ける。
【００３４】
さらに上下に振り分けた電線Ｃを、上下それぞれの位置において該当の分岐ブレーカ１２ｂに対応して振り分ける。振り分けた電線Ｃの先端部分を分岐ブレーカ１２ｂに対応して設けられた電線ガイド１３のＵ字の腕部１３ａ、１３ａをガイドにして略楕円形の支持部１３ｂに押し込み仮止めする。この際、電線は電線ガイドの腕部の弾性に抗して単に押し込むことにより容易に支持され、かつ腕部の先端で抜け止めがなされ確実に仮止めされる。さらに電線の先端部分を本体ケース１０の内側中央部側に湾曲させ、さらに被覆を剥がした先端を分岐ブレーカ１２ｂの電線接続部１１に向かって折り返して置く（図３（ａ））。
【００３５】
次に、電線Ｃを上記に仮止めした状態で、一旦取り外した分電盤ユニット１４を、再度、本体ケース１０のベース部材１０ａに取り付ける。この際、振り分けられた各電線Ｃは電線ガイド１３に仮止めされて整列されており、従来のように本体ケースの中央部分に浮遊していることがなく邪魔にならない。次に各分岐ブレーカ１２ｂの電線接続部１１における操作レバー１１ｂを引き起こし、折り返した電線Ｃの先端を挿入口１１ａに差し込み（図３（ｂ））、奥まで差し込んだことを緑色の表示レバー１１ｃで確認して、操作レバー１１ｂを元の状態に倒してロックする（図２）。この際、該当の電線Ｃが該当の分岐ブレーカ１２ｂの真下または真上に位置して仮止めされているので、迷って誤接続することなく確実に接続される。また、電線Ｃの先端が予め挿入口１１ａ側に整列されて折り返されているので、簡単に挿入口１１ａに差し込むことができる。さらに、従来のように浮遊した状態で、様々な方向に湾曲されていることがない。なお、電線ガイド１３は、上記の施工時において、電線を仮止めした状態で施工をし易くしているが、分電盤の設置後においても、そのまま電線固定手段として使用される。これにより電線Ｃが挿入口１１ａから抜ける方向に荷重が加わることがなく、不用意な取り扱いや振動等で電線Ｃが電線接続部１１から簡単に外れないように固定させることができる。つまり、電線接続部１１に対向する位置に電線ガイド１３を設けて電線を保持させるので、電線の保持部よりも先端側には電線を湾曲させたときの応力がほとんどかからなくなる。
【００３６】
上記により、各分岐ブレーカ１２ｂに負荷側の電線Ｃが接続されて施工が完了し、カバー部材１０ｂが本体ケース１０の前面に被される。なお、主幹ブレーカ１２ａには別途電源ケーブルが引き込まれて配線がなされる。また、分電盤の設置後に住宅内の配線を変更する作業などで、電線Ｃを外す場合には、操作レバー１１ｂを引き起こして挿入口１１ａから電線を引き抜けばよい。この際も引き抜いた電線は電線ガイド１３により仮止めされた状態で、該当の分岐ブレーカ１２ｂの真下または真上に位置しており、電線が本体ケース１０内の他の電線側に浮遊することがない。
【００３７】
以上、本実施例によれば、分電盤を設置する施工作業において、一旦取り外した分電盤ユニット１４を再度本体ケース１０のベース部材１０ａに取り付ける際に、各電線Ｃは電線ガイド１３に仮止めされて整列されており、従来のように本体ケースの中央部分に浮遊していることがない。このため電線が作業の邪魔になることがなく、また電線を気にすることなくスムーズに取り付けることができ施工が容易になる。
【００３８】
また、電線Ｃの先端を電線接続部１１の挿入口１１ａに差し込みロックする際に、該当の電線が該当の分岐ブレーカ１２ｂの真下または真上に位置して仮止めされているので、誤接続することなく確実に接続される。また、電線の先端が予め挿入口１１ａ側に整列されて折り返されているので、簡単に挿入口１１ａに差し込むことができ施工が容易になる。同時に、従来のように浮遊した状態で、様々な方向に湾曲されていることがなく、電線Ｃが挿入口１１ａから抜ける方向に荷重が加わることもない。これにより電線が挿入不足となることもなく確実に接続することができる。
【００３９】
また、分電盤の設置後においても、そのまま電線固定手段として使用され、不用意な取り扱いや振動等で電線Ｃが電線接続部１１から簡単に外れないように固定させることができる。さらに、電線Ｃを外す際も、引き抜いた電線は電線ガイド１３により仮止めされた状態で該当の分岐ブレーカ１２ｂの真下または真上に位置しており、電線の先端部分が本体ケース１０内に浮遊することがない。このため、どの電線を外したかが一目瞭然と解り誤った作業を行う恐れもなく、電線の取り外し作業においても容易かつ確実に行うことができる。
【００４０】
さらに、電線ガイド１３は、電線のガイドと仮止めのための固定手段の両方の機能を有しているので、従来の特許文献２に示すように、電線のガイドを行うための専用のダクトと、電線を固定するための固定部材を別個の部品として用意する必要がなく、構造が簡単で、かつコスト的にも有利な分電盤を提供することができる。また、電線ガイド１３の本体ケース１０への取り付けも、係止爪１３ｃを単に孔に差し込む簡単な作業で行うことができ、一層コスト的に有利になる。さらに、電線ガイド１３は着脱も可能であるので電線Ｃの接続が不要な部分（または不要となった部部）の電線ガイド１３を簡単に取り外すことができ、また、必要となった場合にも簡単に取り付けることができる。
【００４１】
また、電線Ｃは、先端部分を電線ガイド１３のＵ字の腕部１３ａ、１３ａをガイドにして、単に押し込む簡単な作業で固定することができるので、特許文献２に示されるようにバンドを固定したり、紐を縛るような面倒な作業が不要となって一層施工性が良好になる。
【００４２】
以上、本実施例において、電線ガイド１３を各分岐ブレーカ１２ｂ個々に１個ずつ対応して設けたが、図４に示すように複数個を連結して一体化したモジュール状に構成し、切り溝１３ｆを形成して必要な個数を手で簡単に切り離せるように構成してもよい。また電線ガイド１３を係止爪１３ｃにより本体ケース１０の支持孔１０ｇに嵌め込んで支持したが、図４に示すようにタッピンネジ１３ｇにより支持してもよい。さらに、両面テープで支持するようにしてもよい。これらの際も電線ガイドはネジ、またはテープにより着脱できるように支持される。
【００４３】
以上、本発明の好適な実施形態を説明したが、本発明は上述の実施例に限定されることなく、本発明の要旨を逸脱しない範囲内において、種々の設計変更を行うことができる。
【図面の簡単な説明】
【００４４】
【図１】本発明の第一実施形態における分電盤を、一部を切り欠いて示す正面図。
【図２】同じく分電盤を示し、（ａ）は要部の斜視図、（ｂ）は電線ガイドの支持部を拡大して示す断面図。
【図３】同じく分電盤の施工手順を示し、（ａ）は電線を電線ガイドに仮止めした状態を示す斜視図、（ｂ）は電線を電線接続部の挿入口に差し込む状態を示す斜視図。
【図４】同じく分電盤の変形例における電線ガイドの断面図。
【符号の説明】
【００４５】
１    分電盤
１０  本体ケース
１０ｄ  開口部
１１  電線接続部
１１ａ  挿入口
１２  回路遮断器
１３  電線ガイド
Ｃ    電線
【図１】
2009033914.tif 000003
【図２】
2009033914.tif 000004
【図３】
2009033914.tif 000005
【図４】
2009033914.tif 000006